【手続補正書】
【提出日】平成22年5月17日(2010.5.17)
【手続補正１】
【補正対象書類名】明細書
【補正対象項目名】０００６
【補正方法】変更
【補正の内容】
【０００６】
しかし、このような技術は、カラーディスプレイ素子が、適切なアドレス電極と実質的に等しい割合で並べられた基板上に配置されることを必要とする。カラーディスプレイ素子の実質的に等しい割合を得られないか、または、ディスプレイ素子のアドレス電極との位置決めを得られないことにより、不十分なカラーディスプレイという結果になる。
電気泳動ディスプレイおよびこのようなディスプレイの製造方法を理解するための有効な文献に、国際特許出願番号ＷＯ９９／５３３３７３がある。
【手続補正２】
【補正対象書類名】明細書
【補正対象項目名】００４６
【補正方法】変更
【補正の内容】
【００４６】
図３Ｅを参照すると、３つのディスプレイ素子カプセル２２、２２’、および２２’’のそれぞれは、実質的にクリアな分散流体２５に分散される、少なくとも１つの白の粒子５０を含む。１つの実施形態において、各ディスプレイ素子カプセル２２、２２’、および２２’’は、その上に配置される透明な電極４２、４２’、および４２’’、その下に配置される色が付けられたフィルタ６０、６０’、および６０’’を有する。共通の反射面７０は、カラーフィルタ層の後ろで共有され得る。代替的な実施形態において、ディスプレイは、放射光源７０を含む。
より小さい不透明な電極３０、３０’、および３０’’、ならびに、より大きい不透明な電極４０、４０’、および４０’’は、直流（ＤＣ）電界および交流（ＡＣ）電界を、カプセル２０、２０’、および２０’’に印加し得る。ＤＣ電界は、カプセル２０、２０’、および２０’’に印加して、粒子５０、５０’、５０’’が、より小さい電極３０、３０’、および３０’’に移動するようにする。例えば、粒子５０、５０’、および５０’’は、正に帯電し、より小さい電極３０、３０’、および３０’’には、より大きい電極４０、４０’、および４０’’と比較して、より負に帯電するような電圧がかけられる。
【手続補正３】
【補正対象書類名】明細書
【補正対象項目名】００７０
【補正方法】削除
【補正の内容】
【手続補正４】
【補正対象書類名】明細書
【補正対象項目名】００１９
【補正方法】変更
【補正の内容】
【００１９】
【図１Ａ】図１Ａは、より小さい電極が、より大きい電極に対してある電圧に置かれて、粒子がより小さい電極に移動する、粒子系ディスプレイの後方アドレス電極構造の実施形態の側面図である。
【図１Ｂ】図１Ｂは、より大きい電極が、より小さい電極に対してある電圧に置かれて、粒子がより大きい電極に移動する、粒子に基づくディスプレイの後方アドレス電極構造の実施形態の側面図である。
【図１Ｃ】図１Ｃは、後方アドレス電極構造の一実施形態のトップダウン（ｔｏｐ−ｄｏｗｎ）図である。
【図１Ｄ】図１Ｄは、３つのディスプレイ素子を有し、各ディスプレイ素子が印刷プロセスによって生成される、ディスプレイの一実施形態の側面図である。
【図１Ｅ】図１Ｅは、３つのディスプレイ素子を有し、各ディスプレイ素子が印刷プロセスによって生成される、ディスプレイの一実施形態の平面図である。
【図２】図２は、印刷によって形成される、後方電極アドレシング構造の断面図である。
【図３Ａ】図３Ａは、不透明電極および透明電極を有するアドレシング構造の実施形態の模式的側面図であり、この構造において直流電界をカプセルに印加して、それにより粒子を電極方向に移動させる。
【図３Ｂ】図３Ｂは、不透明電極および透明電極を有するアドレシング構造の実施形態の模式的側面図であり、この構造において交流電界をカプセルに印加して、それにより粒子を電極方向に移動させる。
【図３Ｃ】図３Ｃは、透明電極を有するアドレシング構造の実施形態の模式的側面図であり、この構造において直流電界をカプセルに印加して、それにより粒子を電極方向に移動させる。
【図３Ｄ】図３Ｄは、交流電界がカプセルに印加されて、粒子がカプセルに分散する透明電極を有する、アドレシング構造の実施形態の側面図である。
【図３Ｅ】図３Ｅは、３つのサブピクセルを有するディスプレイ素子のためのアドレシング構造の実施形態の側面図である。
【図３Ｆ】図３Ｆは、白を表すようにディスプレイ素子をアドレシングする２重粒子カーテンモードアドレシング構造の実施形態の側面図である。
【図３Ｇ】図３Ｇは、赤を表すようにディスプレイ素子をアドレシングする２重粒子カーテンモードアドレシング構造の実施形態の側面図である。
【図３Ｈ】図３Ｈは、赤の光を吸収するようにディスプレイ素子をアドレシングする２重粒子カーテンモードアドレシング構造の実施形態の側面図である。
【図３Ｉ】図３Ｉは、３つのサブピクセルを有し、ディスプレイが赤を表すようにアドレシングされる、ディスプレイ素子用の２重粒子カーテンモードアドレシング構造の実施形態の側面図である。
【図３Ｊ】図３Ｊは、ディスプレイ素子用の２重粒子カーテンモードアドレシング構造の他の実施形態の側面図である。
【図３Ｋ】図３Ｋは、インターディジタル電極構造の実施形態の平面図である。
【図３Ｌ】図３Ｌは、染色された流体および２種類の粒子を有し、赤を吸収するようにアドレシングされる、２重粒子カーテンモードディスプレイ構造の他の実施形態の側面図である。
【図３Ｍ】図３Ｍは、クリアな流体および３種類の粒子を有し、赤を吸収するようにアドレシングされる、２重粒子カーテンモードディスプレイ構造の他の実施形態の側面図である。
【図４Ａ】図４Ａは、色付けられた電極および白色電極を有する後方アドレシング電極構造の実施形態の模式的側面図であり、この実施形態において、色付けられた電極は白色電極に対して高い電圧に置かれるので、粒子が色付けられた電極に移動する。
【図４Ｂ】図４Ｂは、色付けられた電極および白色電極を有する後方アドレシング電極構造の実施形態の模式的側面図であり、この実施形態において、色付けられた電極は白色電極に対して高い電圧に置かれるので、粒子が白色電極に移動する。
【図５】図５は、本発明の方法を用いるディスプレイを製造するために取られるステップを示すフローチャートである。
【手続補正５】
【補正対象書類名】図面
【補正対象項目名】全図
【補正方法】変更
【補正の内容】
【図１Ａ】
2010217916.tif 000001
【図１Ｂ】
2010217916.tif 000002
【図１Ｃ】
2010217916.tif 000003
【図１Ｄ】
2010217916.tif 000004
【図１Ｅ】
2010217916.tif 000005
【図２】
2010217916.tif 000006
【図３Ａ】
2010217916.tif 000007
【図３Ｂ】
2010217916.tif 000008
【図３Ｃ】
2010217916.tif 000009
【図３Ｄ】
2010217916.tif 000010
【図３Ｅ】
2010217916.tif 000011
【図３Ｆ】
2010217916.tif 000012
【図３Ｇ】
2010217916.tif 000013
【図３Ｈ】
2010217916.tif 000014
【図３Ｉ】
2010217916.tif 000015
【図３Ｊ】
2010217916.tif 000016
【図３Ｋ】
2010217916.tif 000017
【図３Ｌ】
2010217916.tif 000018
【図３Ｍ】
2010217916.tif 000019
【図４Ａ】
2010217916.tif 000020
【図４Ｂ】
2010217916.tif 000021
【図５】
2010217916.tif 000022
【図６】
2010217916.tif 000023